(57)【要約】 【課題】  【解決手段】  縦型植物支持具はパネル及び固定層を有する壁と、壁に接続された管マトリックスとを含む。固定層はおアネルと管マトリックスの中間に配置される。パネルは液体不透過性でもよく、固定層は液体透過性でもよい。【選択図】        図１
2009528827.tif 000002
【特許請求の範囲】
【請求項１】
ａ）パネルと固定層を備える壁と、
ｂ）前記壁に接続された管マトリックスと
を備える縦型植物支持具であって、
前記固定層が前記パネルと前記管マトリックスの中間に配置される
ことを特徴とする縦型植物支持具。
【請求項２】
前記パネルが液体不透過性であることを特徴とする請求項１に記載の縦型植物支持具。
【請求項３】
前記固定層が液体透過性であることを特徴とする請求項１に記載の縦型植物支持具。
【請求項４】
前記管マトリックス内の各管が後部を備え、前記後部の少なくとも一部が前記固定層に隣接し、前記管マトリックス内の隣接する管の諸後部が液体連通していることを特徴とする請求項３に記載の縦型植物支持具。
【請求項５】
前記固定層と液体連通する、植物を生育する液体源をさらに備える請求項３に記載の縦型植物支持具。
【請求項６】
前記管マトリックスが前記固定層から鋭角で外に延びていることを特徴とする請求項１に記載の縦型植物支持具。
【請求項７】
前記パネルと前記固定層が実質的に隣接することを特徴とする請求項１に記載の縦型植物支持具。
【請求項８】
複数の縦型植物支持具を備える緑化壁において、前記縦型植物支持具のそれぞれが壁と、管マトリックスとを有し、前記壁がパネルと固定層を備え、前記管マトリックスが前記壁に接続される緑化壁であって、前記固定層が前記パネルと前記管マトリックスの中間に配置されることを特徴とする緑化壁。
【請求項９】
各前記縦型植物支持具の前記管マトリックスが境界線を定め、前記境界線の少なくとも一部が、隣接する縦型植物支持具の境界線の少なくとも一部と接続可能であることを特徴とする請求項８に記載の緑化壁。
【請求項１０】
隣接する縦型植物支持具の前記固定層が流体連通していることを特徴とする請求項８に記載の緑化壁。
【請求項１１】
緑化壁を設置する方法であって、
ａ）壁と管マトリックスを有する少なくとも一つの植物支持具を設けるステップであって、前記壁がパネルと固定層を備え、前記管マトリックスが前記壁に接続され、前記固定層が前記パネルと前記管マトリックスの中間に配置されるステップと、
ｂ）植物が概ね水平な位置にある間に前記少なくとも一つの植物支持具の管マトリックス内で植物を生育するステップと、
ｃ）前記少なくとも一つの植物支持具を概ね垂直な位置に立てるステップと
を含む方法。
【請求項１２】
緑化壁を灌漑する方法であって、
ａ）壁と管マトリックスを有する少なくとも一つの縦型植物支持具を設けるステップであって、前記壁がパネルと、上側エッジを有する液体透過性固定層とを備え、前記管マトリックスが前記壁に接続され、前記固定層が前記パネルと前記管マトリックスの中間に配置されるステップと、
ｂ）植物を育てるのに相応しい液体源を設けるステップと、
ｃ）前記液体が重力の影響の下に前記固定層を通って伝播しながら実質的に水平方向に一様になるように前記固定層の上側エッジに沿って前記液体を分配するステップと
を含む方法。
【発明の詳細な説明】
【技術分野】
【０００１】
本発明は縦型植物支持具、より詳細には緑化壁用の装置と方法に関する。
【背景技術】
【０００２】
緑化壁は縦型庭園である。縦型庭園は壁に取り付でき、あるいはプライバシー障壁として独立に使用できる。単面又は多面式縦型庭園は独立の建築特徴物としても使用できる。緑化壁は屋内に置いても屋外に置いてもよく、多くの機能的、環境的及び美的利益を提供する。
【０００３】
屋外用途において、緑化壁は都市農業又は都市園芸の一形式を提供し、通常は利用されない垂直表面積の上手い使用法を提供する。それらはそれら自身のための芸術品として作られても、道路わきの広告又は他の商業用ディスプレー用途に組み入れられてもよい。機能的には、緑化壁は現存する構造壁を覆って伝統的な外壁材料の寿命を延ばし、それにより加熱及び冷却エネルギーコストを低減することができる。
【０００４】
屋内では、緑化壁は建物の居住者に快適な自然特徴物を提供する。それらはまた酸素という光合成産物を用い、また揮発性有機化合物のような空中不純物を新陳代謝させる植物の根にバクテリアを与えることにより再循環された空気の質を改良することができる。いわゆるアクティブ壁が建物の空気循環システムに結合されてもよく、その場合、ファンが壁を通って空気を送風し、次いで建物全体に空気を再循環させる。ガラスの後ろに保持されて、より予測可能なエアフロー効果を作り出すアクティブ壁もある。非アクティブ壁は機械化された空気循環を持たない。その代り、それらはできるだけ多くの自由な空気循環を促進するように開放状態に維持される。
【０００５】
緑化壁はまた屋内でも屋外でも、少なくとも水道のような水再使用手段を備える。緑化壁の植物は、有機成分を無機質化するバクテリアにより分解された養分を消化することによりわずかに汚染された水（生活雑排水等）を浄化する可能性があり、それらが植物に使用できるようにする。
【０００６】
典型的には、緑化壁は独立か、あるいは現存する壁面に直接設置されることになる。多くのシステムは、成長媒体のポケットの付いた異なるサイズの軽量無機物基板と、雨水式か滴下式か噴霧式の給水システムと、その設置場所の特定の小気候条件に対して選択され栽培器を使用する。
【０００７】
緑化壁の植物は典型的には緑化壁の他の構成要素が取り付けられた後に種から生育される。この生育期間は保守コストの増加、屋外用途における風浸食及び他の自然力による成長媒体の損失、及び緑化壁からの利益の獲得の遅延に帰着する。このように設置された緑化壁はまた典型的には永久的又は半永久的な設備であり、従って、基礎となる壁の修理を困難かつ高価にする。
【０００８】
現存する構造壁に緑化壁が設置される場合、永久的又は半永久的設置に適応するために現存する壁面に対してかなりの変更が必要になり可能性がある。現存する外装は適切に取り付けることも、水及び成長媒体との長期の直接接触を維持することもできないかもしれない。永久的及び半永久的設置はまた典型的にはそれらの設計が静的であり、構造及び現場生育される植物の選択は設置時に確立される。機能的、商業的又は美的理由により、所望の構造又は栽培器の変更は確立された緑化壁を破壊又は交換し、それにより、より多くの保守コストと新しい緑化壁設計による利益の遅延を引き起こす。
【発明の開示】
【発明が解決しようとする課題】
【０００９】
従って、現行の緑化壁設計において明らかである不都合のいくつか又は全てを克服する緑化壁用途に使用する改良された縦型植物支持具の必要性がある。
【課題を解決するための手段】
【００１０】
本発明は、
ａ）パネルと固定層を備える壁と、
ｂ）前記壁に接続された管マトリックスと
を備える縦型植物支持具であって、
前記固定層が前記パネルと前記管マトリックスの中間に配置される
ことを特徴とする縦型植物支持具である。
【発明を実施するための最良の形態】
【００１１】
図１ないし７を参照すれば、壁２０と管マトリックス３０を有する本発明による縦型植物支持具１０の一つの実施例が概略図解される。壁２０はパネル２２と、パネル２２と管マトリックス３０の中間に位置するように向いている固定層２４とを備える。管マトリックス３０は管の如何なる規則的又は不規則な配列又は配置として配置されてもよい。各管は、植物がそこを通って成長する開口を備える正面部と、固定層２４に隣接する裏面部とにおいて開いており、従って植物の根は固定層２４の中まで成長し得る。好ましくは、固定層２４は、パネル２２と管マトリックス３０の中間にありながら上側エッジ２６と下側エッジ２８に沿って露出される。また好ましくは、縦型植物支持具１０には縦型植物支持具１０を垂直構造又は支持に取り付ける少なくとも一つの手段が設けられる。図解された実施例において、好都合な吊るし要素５０が壁２０の上部に接続されかつそこから後方に延びた状態で示される。吊るし要素５０は、垂直構造又は支持（図示せず）の協同部分に噛み合うようにできている吊るし面５２を定める。縦型植物支持具１０はまたその支持構造から縦型植物支持具１０を離間させる大きさをした一つ以上の足部５４を含む。足部５４は吊るし用支持５０と同様の距離だけ後方に突き出る大きさをしていてもよく、あるいはそれらはもっと長くても短くてもよく、それにより、縦型植物支持具１０が縦の向きから逸れないようにする。
【００１２】
縦型植物支持具１０は溶接、接着剤又は他の接着又は固定法により一緒に固定されても、後で一緒に接続される一つ以上の部品を形成するように成形されてもよい。
図１ないし７に描かれた実施例において、壁２０は概ね矩形であるように示され、管マトリックス３０の容積は平行六面体により定められる。以下の議論を考慮すれば、縦型植物支持具１０により定められる周囲の形状及び容積は、修正されてもよく、やはり本願に開示される発明の範囲内にあり、それらの全てはこの明細書に含まれるように意図される。
【００１３】
典型的には、固定層２４は規則的又は不規則な３次元メッシュ又はスクリーンの多孔質シートである。例えば固定層２４は絡み合わされた繊維でも、針金でも、被覆された針金でもよい。固定層２４は、ポリエステル、ポリエチレン、ポリ塩化ビニル、及びポリプロピレンのようなプラスチック、鋼鉄及び銅のような金属で出来た針金、麻、岩綿、木部繊維、及びココナッツ繊維のような有機材料、及びそれらの組合せを含む（しかし、これらに限定されない）何れの適当な材料で作られてもよい。天然繊維と合成繊維の組合せを使用するのが特に好都合であることが分かった。天然繊維は植物に水及び養分を運ぶのを助ける自然吸水能力を有する。合成繊維は根の成長を支援するための安定した長寿命構造を提供する。
【００１４】
パネル２２及び曲のマトリックス３０は木、金属、及びポリエステル、ポリエチレン、ポリ塩化ビニル、ポリプロピレンのようなプラスチック、及びそれらの組合せを含む（しかし、これらには限定されない）何れの適当な材料で出来ていてもよい。
【００１５】
図１ないし７に描かれた実施例において、パネル２２は長さがおよそ２フィートの第１の辺４０と、長さがやはりおよそ２フィートの第２の辺４２を有する正方形である。この実施例では、管マトリックス３０は栽培器を受容するように出来ている２列１２行の空洞を定めるように配列される。この例では、各管はおよそ２インチｘ１２インチの開放端を有し、およそ４インチの深さをもつことになる。固定層２４は特定の実施例に相応しい何れの寸法をもっていてもよい。一つの実施例では、固定層は厚さが０．１２５インチと１インチの間にある。当業者は、縦型植物支持具１０の正確な寸法が、設置場所、生育される植物のタイプ、基礎となる任意の支持壁の荷重支持性能を含む多くの要因により支配されることが分かるであろう。この特性の修正はこの開示の範囲内に含まれるように意図される。
【００１６】
縦型植物支持具１０に関する図１ないし７に図解されるさらなる態様は、管マトリックス３０内の各管が固定層２４外側に延びる角度が鋭角であることである。描かれた実施例では、各管は固定層２４とおよそ６０度の角度を成す。設置の状況により決定される通りに、６０度前後の角度が採用されてもよい。この角度の目的は管マトリックス３０内の各管により定められる閉じられた空洞に加えられる水及び成長媒体の保持を容易にすることである。
【００１７】
使用時に、固定層２４は植物の成長を支援する手段を提供する。典型的には、植物の根は固定層２４まで繁殖し、その中でもつれる。このようにして、固定層２４は植物に対する物理的支持を提供する。固定層２４はまた、それに供給される水と養分を保持し、延いてはこの水と養分を植物に供給する。固定層２４にはまた成長媒体が浸み込まされてもよく、あるいは成長媒体は管マトリックス３０内の各管により定められる空洞に加えられてもよい。成長媒体は様々の材料から選ばれてもよい。例えば、多くの土壌、砂、及び砂利が使用されてもよい。同様に、例えば粘土、砂利、肥料、泥炭、堆肥、超吸収性ポリマ、及びそれらの組合せが他の実施例で使用されてもよい。
【００１８】
確実さを増すために、縦型植物支持具の代わりの実施例が図８ないし１０に示される。図８は、各管の開放端がおよそ８インチｘ３インチである１列８行の管３０’の単一アレーとして配列された管マトリックス３０’を有する縦型植物支持具１０’を示す。図９はマトリックス３０”内の２列９行の管を有する、縦型植物支持具１０に似た縦型植物支持具１０”を示す。同様に、図１０は、管マトリックスが９行８列に配列された拡張された縦型植物支持具１０”’を示す。
【００１９】
今度は図１１を参照すれば、本発明による緑化壁１００の設置は一つ以上の個々の縦型植物支持具１０を組み合わせることにより完成されてもよい。図解された例では、１２個の縦型植物支持具１０が４ｘ３の格子に配列される。好ましくは、縦型植物支持具１０は、隙間がほとんど又は全くなくなるように隣接する縦型植物支持具と当接するように形作られ、それにより緑化壁１００の体裁を向上する。
【００２０】
図１２を参照すれば、縦型植物支持具は随意には、緑化壁１００用途において隣接する縦型植物支持具１０と相互接続するように出来ていてもよい。必須のコネクタは種々の形を呈してもよい。図１２は、少なくとも一つのありつぎスロット１１０が管マトリックス３０の外面１１２に定められる、一つのそのような方法を図解する。管マトリックス３０の反対側の外面は、隣接する縦型植物支持具１０の対応する大きさのありつぎスロット１１０と整合するように位置する同様の数のありつぎリブ１２０を含む。
【００２１】
個々の縦型植物支持具１０は屋内環境に配置されても、屋外環境に配置されてもよく、また通常の作業者の技術内の多数の手段により如何なる数の異なる縦型植栽構造に接続されてもよい。第１の例が図１３に図解され、そこでは、一つ以上の縦型植物支持具が一つ以上の斜面の付いた水平レール１３０から吊るされてもよい。水平レール１３０は随意には、基礎となる構造との適当な隙間を与えるように垂直レール１３２に取り付けられてもよい。水平レール１３０はまた構造壁１４０の表面に直接接続されてもよい。図１３の拡大詳細図は水平レール１３０に取り付けられた縦型植物支持具１０の側面図を示す。水平レール１３０は好都合にも、構造壁１４０に対して外側上方に延びる傾斜面付きの上面１３４を持つように構成される。水平レール１３０は関係技術において周知の多くの手段により構造壁１４０に接続されてもよい。図解された実施例は水平レール１３０と構造壁１４０の中間に配置されたボルト１４２とスペーサ１３８を示す。水平レール１３０の傾斜面角は吊るし要素例５０の吊るし面５２の角度に合うように出来ている。
【００２２】
好ましくは、管マトリックス３０の角度、吊るし面５２の角度及び水平の傾斜上面の角度は構造壁１４０のような支持構造に対して実質的に等しい。これは、隣接する縦型植物支持具１０が互いに当接するより大きい緑化壁１００設備の一部である個々の縦型植物支持具１０が、新しい縦型植物支持具１０の交換、又は構造壁１４０のような支持構造の修理のために緑化壁１００から摺動可能に取り外されるようにする。
【００２３】
図１４は縦型植物支持具１０をその支持構造に取り付ける手段のなおもう一つの例を図解する。一つ以上のフック１５０が天井、ブラケット又は他の荷重支持構造（図示せず）に接続されてもよい。管マトリックス３０内の一つ以上の管は随意にはフック１５０を収容する大きさをした開口１５２を定める。同様に、管マトリックス３０内の一つ以上の管は随意には、それに接続されかつ一つ以上のフック１５０を係合するに十分な長さを有するストラップ１５４を有してもよい。
【００２４】
図１５を参照すれば、縦型植物支持具１０用灌漑システムの実施例が示される。給水装置１６０が管マトリックス３０の上面に沿って配置され、更なる植物養分（図示せず）を含んでもよい補給水に接続される。図解は浸み出しホースとしての給水装置１６０を示すが、給水装置１６０は滴下灌漑や、外の屋根からの雨水排水のような多くの他の配水手段を含んでもよい。好ましくは、給水装置１６０は、供給された水が上側エッジ２６にある、あるいは上側エッジ２６の上にある管マトリックス３０の上面３２に接触するように配置される。次いで水及び／又は養分は重力の影響の下に多孔質固定層２４の上側エッジ２６の上に直接、あるいは管マトリックス３０の傾斜した上面３２に沿って、下に流れてもよい。好ましくは、給水装置１６０は、固定層２４の上側エッジ２６に入る水量が実質的に一様になるように実質的にシートとして縦型植物支持具１０に水を供給する。随意には、パネル２２は上に延長されてもよく、あるいはさらなる障壁（図示せず）がパネル２２の上側エッジに取り付けられて、水又は養分がパネル２２の裏外面を流れて、ことによると何れかの支持構造面に損傷を生じることのないことを保証する。次いで水及び養分は固定層２４を通って主流Ａの方向に下に流れる。随意には、余剰水の如何なる排水も集めるように樋１７０が下側エッジ２８に隣接して配置されてもよい。
【００２５】
縦型植物支持具１０が緑化壁１００の一部として吊るされ、少なくとも一つの縦型植物支持具が上下に取り付けられるときは、固定層２４の下側エッジ２８が上面３２に隣接して配置され、それにより上側の縦壁支持１０から流れ出る水及び／又は養分が上記のものと同様に上面上を下に流れれば好都合であることが分かった。この配置は足部５４の大きさを選択的に調整し、あるいは関係技術において既知の何れかの他の手段により達成することができる。
【００２６】
図１６は、主な流れ方向Ａの他に、水及び養分を、吸水作用により、あるいは管マトリックス３０（図示せず）内の各管により定められる空洞内に配置されてもよい成長媒体を飽和させることにより、植物の吸水方向Ｂに引くことができる。随意には、図１７は噴霧式潅漑システムが管マトリックスの前部に取り付けられ、関係技術において周知のように配列及び動作されてもよいことを示す。
【００２７】
図１８を参照すれば、生活雑排水をきれいにする縦型植物支持具””の代わりの実施例が示される。好ましくは、管マトリックス３０内の各管の水平面内に管マトリックス３０を通る下向きの生活雑排水の流れに対して左右交互の方向の進路Ｃを形成するように離間された流れ穴１８０が定められる。この実施例では、縦型植物支持具１０””は随意には一つ以上の固定層２４や、関係技術において既知の他の成長媒体を含んでもよい。
【００２８】
図１９を参照すれば、随意には、根が管マトリックス３０内の隣接する管の間で成長できるように複数の根付け穴２００が管マトリックス３０内の各管の水平または垂直面内に定められてもよい。
【００２９】
図２０は、ポンプ１９０が樋１７０と流体連通して接続されてもよいもう一つの随意の灌漑システムを図解する。次いで、ポンプ１９０の出口は上側エッジ２６の上で管マトリックス３０の上面３２に水を供給する導管１９２に接続され、それにより、水及び／又は養分の少なくとも一部を循環させるループを作り出す。
【００３０】
縦型植物支持具１０は支持構造又は壁に著しい、あるいは恒久的な修正を必要とせずに現場で容易に設置できる。それらは現存する構造壁から吊るされてもよく、あるいは縦型植物支持具１０を支持するように支持構造が立てられてもよい。この設計特徴は好都合にも各縦型植物支持具１０が植物園のような現場を離れかつ管理された条件で植物を生育し、その後に、設置場所に輸送されることを可能にする。典型的には、縦型植物支持具１０を設置すること、あるいはより大きい緑化壁１００の設置に対する主なリスクと犠牲の一つは、時々ぎりぎりの成長条件で植物を生育することである。管理された条件で植物を成長及び定着させることにより、それらはそれらの設置環境によりよく適応でき、成長が上手くいく機会を増加する。これはまた成長段階中の植物の手入れに関係する費用を減らす。この点に関し、本発明はまた、植物が定着している間は縦型植物支持具１０が水平方向に向くように出来、これのことはまた、保守を容易にし、初期段階中の成長が上手くいく機会を増加する。
【００３１】
このモジュール性はまた個々の縦型植物支持具１０が望み通りに交換されることを可能にする。従って、小気候が変化する場合、あるいは特定の場所に異なる植物が望まれる場合、調整を行うことができる。隣接する縦型植物支持具１０において植物の望ましい肌合い又は色特性を選ぶことにより緑化壁１００用途にデザインを組み入れることもできる。そしてデザインは所望なら後で変更できる。
【００３２】
随意には、縦型植物支持具１０は生物ろ過システムの一部として使用されてもよい。この場合、パネル２２はガス透過性となり、縦型植物支持具１０の前後の間の差圧を確立することにより空気が縦型植物支持具１０を強制的に通るようにして構造を通って空気を引き、それにより、空気から不純物を除去する。
【００３３】
図２１ないし２３は、管マトリックス３０が射出成形を用いて製造され、パネル２２が適当な材料のシートから打ち抜かれる代わりの実施例を図解する。
【００３４】
発明は特定の実施例を参照して述べられたが、当業者は、本発明の方法と装置に種々の他の改造及び変形を成し得ること、また全てのそのような変形と改造が発明の範囲内に包含されるように意図されることが分かるであろう。
【図面の簡単な説明】
【００３５】
【図１】本発明による縦型植栽システムの正面等角図を図解する。
【図２】図１の縦型植栽システムの裏面等角図である。
【図３】図１の縦型植栽システムの側面図である。
【図４】図１の縦型植栽システムの正面図である。
【図５】図１の縦型植栽システムの裏面図である。
【図６】図１の縦型植栽システムの上面図である。
【図７】図１の縦型植栽システムの底面図である。
【図８】縦型植物支持具の代わりの実施例の斜視図である。
【図９】縦型植物支持具の代わりの実施例の斜視図である。
【図１０】縦型植物支持具の代わりの実施例の斜視図である。
【図１１】複数の縦型植物支持具を備える緑化壁の斜視図である。
【図１２】緑化壁用途に使用する隣接する縦型植物支持具を接続する手段例の斜視及び詳細図である。
【図１３】垂直面に縦型植物支持具を取り付ける方法例の斜視図及び詳細である。
【図１４】縦型植物支持具を吊るす他の方法の斜視図及び詳細である。
【図１５】灌漑の一形式を有する縦型植物支持具の裏面斜視図である。
【図１６】縦型植物支持具及び樋の部分側面図である。
【図１７】噴霧式灌漑を有する縦型植物支持具の側面図である。
【図１８】生活雑排水をきれいにするのに使用するもう一つの縦型植物支持具
【図１９】さらなる根付け穴を有する縦型植物支持具の部分斜視図である。
【図２０】液体を再循環するポンプを備えるもう一つの灌漑システムの側面図である。
【図２１】縦型植物支持具のもう一つの実施例の諸図集である。
【図２２】図２１の縦型植物支持具の代わりの実施例の諸図集である。
【図２３】図２１の縦型植物支持具の等角図である。
【図２４】中に植物が植栽された縦型植物支持具の写真である。
【符号の説明】
【００３６】
１０  縦型植物支持具
２０  壁
２２  パネル
２４  固定層
２６  上側エッジ
２８  下側エッジ
３０  管マトリックス
３２  管マトリックスの上面
４０  パネルの第１の辺
４２  パネルの第２の辺
５０  吊るし要素
５２  吊るし面
５４  足部
１００  緑化壁
１１０  ありつぎスロット
１１２  管マトリックスの外面
１２０  ありつぎリブ
１３０  斜面付き水平レール
１３２  垂直レール
１３８  スペーサ
１４０  構造壁
１４２  ボルト
１５０  フック
１５２  開口
１５４  ストラップ
１６０  給水装置
１７０  樋
１８０  流れ穴
１９０  ポンプ
１９２  導管
２００  根付け穴
【図１】
2009528827.tif 000003
【図２】
2009528827.tif 000004
【図３】
2009528827.tif 000005
【図４】
2009528827.tif 000006
【図５】
2009528827.tif 000007
【図６】
2009528827.tif 000008
【図７】
2009528827.tif 000009
【図８】
2009528827.tif 000010
【図９】
2009528827.tif 000011
【図１０】
2009528827.tif 000012
【図１１】
2009528827.tif 000013
【図１２】
2009528827.tif 000014
【図１４】
2009528827.tif 000015
【図１５】
2009528827.tif 000016
【図１６】
2009528827.tif 000017
【図１９】
2009528827.tif 000018
【図２０】
2009528827.tif 000019
【図２３】
2009528827.tif 000020
【図２４】
2009528827.tif 000021
【図１３】
2009528827.tif 000022
【図１７】
2009528827.tif 000023
【図１８】
2009528827.tif 000024
【図２１】
2009528827.tif 000025
【図２２】
2009528827.tif 000026
【国際調査報告】
2009528827.tif 000027
2009528827.tif 000028